【手続補正書】
【提出日】平成26年3月6日(2014.3.6)
【手続補正１】
【補正対象書類名】特許請求の範囲
【補正対象項目名】全文
【補正方法】変更
【補正の内容】
【特許請求の範囲】
【請求項１】
減圧を腹腔内の組織部位に分配するためおよび流体を除去するための腹部治療送達装置において、
少なくとも部分的に穿孔された、互いに近接する複数の液体不透過層と、
前記複数の液体不透過層の少なくとも２層の間に配置された発泡体スペーサとを含み、
前記複数の液体不透過層の少なくとも２層が共延伸領域Ａ１を有し、
前記発泡体スペーサが平面図領域Ａ２を有し、
Ａ２がＡ１の８０％未満（すなわちＡ２＜０．８Ａ１）であり、
前記発泡体スペーサが、減圧下、流体除去標的領域が、前記流体除去標的領域の大部分の場所で、少なくとも３００度である角度シータ（θ）にわたって減圧ベクトルを受けるように構成されることを特徴とする腹部治療送達装置。
【請求項２】
請求項１に記載の腹部治療装置において、前記流体除去標的領域が、前記発泡体スペーサの外周縁によって実質的に境界を定められる領域を含み、前記除去標的領域内の前記発泡体スペーサが窓開口部を含むことを特徴とする腹部治療装置。
【請求項３】
請求項１または２に記載の腹部治療装置において、前記発泡体スペーサが、減圧下、流体除去標的領域が、前記流体除去標的領域の７０パーセント（７０％）を超える場所で、３６０度である角度シータ（θ）にわたって減圧ベクトルを受けるように構成されることを特徴とする腹部治療装置。
【請求項４】
請求項１乃至３のいずれか一項に記載の腹部治療装置において、前記発泡体スペーサを囲み前記複数の液体不透過層の少なくとも２層を接続するステッチ接合部をさらに含むことを特徴とする腹部治療装置。
【請求項５】
請求項１乃至３のいずれか一項に記載の腹部治療装置において、前記発泡体スペーサを囲み前記複数の液体不透過層の少なくとも２層を接続する連続した接合部をさらに含むことを特徴とする腹部治療装置。
【請求項６】
請求項１乃至５のいずれか一項に記載の腹部治療装置において、前記発泡体スペーサが、相互連結された複数の同心の円弧状部材として形成された発泡部材を含むことを特徴とする腹部治療装置。
【請求項７】
請求項１乃至５のいずれか一項に記載の腹部治療装置において、前記発泡体スペーサが、相互連結された逆向きのｃ形状部材として形成された発泡部材を含むことを特徴とする腹部治療装置。
【請求項８】
請求項１乃至７のいずれか一項に記載の腹部治療装置において、前記流体除去標的領域が、前記発泡体スペーサの外周縁によって完全に包囲された領域を含むことを特徴とする腹部治療装置。
【請求項９】
請求項１乃至５のいずれか一項に記載の腹部治療装置において、前記発泡スペーサが、相互連結された複数の環状円として形成された発泡部材を含むことを特徴とする腹部治療装置。
【請求項１０】
腹腔を減圧で治療するためのシステムにおいて、
減圧を組織部位に分配するための腹部治療装置であって、
共延伸領域Ａ１を有し、穿孔されている、互いに近接した複数の液体不透過層と、
前記複数の液体不透過層の少なくとも２層の間に配置され、平面図領域Ａ２を有する発泡体スペーサと、を含み、
Ａ２はＡ１の８０％未満（すなわちＡ２＜０．８Ａ１）であり、
前記発泡体スペーサが、減圧下、流体除去標的領域が、前記流体除去標的領域の大部分の場所で、３６０度である角度シータ（θ）にわたって減圧ベクトルを受けるように構成され、
前記流体除去標的領域が、前記発泡体スペーサの外周縁によって実質的に境界を定められる領域を含み、前記除去標的領域内の前記発泡体スペーサが窓開口部とともに形成されている、腹部治療装置と、
減圧源とを含み、
前記減圧源が前記腹部治療装置と流体接続されることを特徴とするシステム。
【請求項１１】
請求項１０に記載のシステムにおいて、前記発泡体スペーサが、減圧下、流体除去標的領域が、前記流体除去標的領域の７０パーセント（７０％）を超える場所で、３６０度である角度シータ（θ）にわたって減圧ベクトルを受けるように構成されることを特徴とするシステム。
【請求項１２】
請求項１０または１１に記載のシステムにおいて、前記減圧源を前記腹部治療装置と流体接続するための減圧導管と減圧連結器サブシステムとをさらに含むことを特徴とするシステム。
【請求項１３】
請求項１０乃至１２のいずれか一項に記載のシステムにおいて、前記発泡体スペーサを囲み、前記複数の液体不透過層の少なくとも２層を接続するステッチ接合部をさらに含むことを特徴とするシステム。
【請求項１４】
請求項１０乃至１２のいずれか一項に記載のシステムにおいて、前記発泡体スペーサを囲み、前記複数の液体不透過層の少なくとも２層を接続する連続した接合部をさらに含むことを特徴とするシステム。
【請求項１５】
請求項１０乃至１４のいずれか一項に記載のシステムにおいて、前記発泡体スペーサが、相互連結された複数の円弧状部材として形成された発泡部材を含むことを特徴とするシステム。
【請求項１６】
請求項１０乃至１４のいずれか一項に記載のシステムにおいて、前記発泡体スペーサが、相互連結された逆向きのｃ形状部材として形成された発泡部材を含むことを特徴とするシステム。
【請求項１７】
請求項１０乃至１４のいずれか一項に記載のシステムにおいて、前記発泡体スペーサが、相互連結された複数の環状円として形成された発泡部材を含むことを特徴とするシステム。
【請求項１８】
請求項１０乃至１７のいずれか一項に記載のシステムにおいて、前記流体除去標的領域が、前記発泡体スペーサの外周縁によって完全に包囲された領域を含むことを特徴とするシステム。
【請求項１９】
腹部治療装置を製造する方法において、
穿孔された複数の液体不透過層を提供するステップと、
前記複数の液体不透過層を互いに隣接して置くステップであって、前記複数の液体不透過層が共延伸領域Ａ１を有するステップと、
前記複数の液体不透過層の少なくとも２層の間に発泡体スペーサを配置するステップとを含み、
前記複数の液体不透過層の少なくとも２層の間に配置された前記発泡体スペーサが平面図領域Ａ２を有し、Ａ２がＡ１の８０％未満（すなわちＡ２＜０．８Ａ１）であり、
前記発泡体スペーサが、減圧下、流体除去標的領域が、前記流体除去標的領域の大部分の場所で、３６０度である角度シータ（θ）にわたって減圧ベクトルを受けるように構成され、
前記流体除去標的領域が、前記発泡体スペーサの外周縁によって実質的に境界を定められた領域を含むことを特徴とする方法。
【請求項２０】
請求項１９に記載の腹部治療装置を製造する方法において、前記発泡体スペーサが、減圧下、流体除去標的領域が、前記流体除去標的領域の７０パーセント（７０％）を超える場所で、３６０度である角度シータ（θ）にわたって減圧ベクトルを受けるように構成されることを特徴とする方法。
【請求項２１】
請求項１９または２０に記載の腹部治療装置を製造する方法において、前記発泡体スペーサを囲み、前記複数の液体不透過層の少なくとも２層を接続するステッチ接合部を形成するステップをさらに含むことを特徴とする方法。
【請求項２２】
請求項１９または２０に記載の腹部治療装置を製造する方法において、前記発泡体スペーサを囲み、前記複数の液体不透過層の少なくとも２層を接続する連続した接合部を形成するステップをさらに含むことを特徴とする方法。
【請求項２３】
請求項１９乃至２２のいずれか一項に記載の腹部治療装置を製造する方法において、前記発泡体スペーサが、相互連結された複数の円弧状部材として形成された発泡部材を含むことを特徴とする方法。
【請求項２４】
請求項１９乃至２２のいずれか一項に記載の腹部治療装置を製造する方法において、前記発泡体スペーサが、相互連結された逆向きのｃ形状部材として形成された発泡部材を含むことを特徴とする方法。
【請求項２５】
請求項１９乃至２２のいずれか一項に記載の腹部治療装置を製造する方法において、前記発泡体スペーサが、相互連結された複数の環状円として形成された発泡部材を含むことを特徴とする方法。
【請求項２６】
減圧を腹腔内の組織部位に分配するためおよび流体を除去するための腹部治療送達装置において、
少なくとも部分的に穿孔された、互いに近接する複数の液体不透過層と、
前記複数の液体不透過層の少なくとも２層の間に配置された星形発泡体スペーサであって、複数の離間した脚状部材を有する星形発泡体スペーサと、
前記複数の離間した脚状部材の隣接部材間に形成された複数の縦走接合部であって、複数のフローチャネルを形成し、前記フローチャネルが減圧を前記星形発泡体スペーサの中央部分の方へ方向づけるためにある、複数の縦走接合部とを含み、
前記複数のフローチャネルの１つの中の分析用検査体積が、前記中央部分の方に主に向けられた減圧ベクトルを有することを特徴とする腹部治療送達装置。
【請求項２７】
請求項２６に記載の腹部治療装置において、
前記複数の液体不透過層の少なくとも２層が共延伸領域Ａ１を有し、
前記発泡体スペーサが平面図領域Ａ２を有し、
Ａ２はＡ１の８０％未満（すなわちＡ２＜０．８Ａ１）であることを特徴とする腹部治療装置。